(57)【要約】【課題】歪補償を行う場合に装置の小型化及び低コスト化を実現する。【解決手段】通信局６０の受信装置６４は、受信した通信局１０の送信装置１２からの信号中に含まれる歪成分を検出する歪検出部９６を有する。通信局６０の送信装置６２は、歪検出部９６で検出された歪成分を示す情報を通信局１０へ送信する。通信局１０の受信装置１４は、通信局６０の送信装置６２からの歪成分を示す情報を受信する。送信装置１２に設けられた前置歪補償部１８は、受信装置１４で受信された歪成分を示す情報に基づいて増幅器３０へ入力する送信信号に与える前置歪を調整することで歪補償を行う。【選択図】図１
2007158842.tif 000002
【特許請求の範囲】
【請求項１】
第１通信局の送信装置から送信された信号を第２通信局の受信装置で受信し、且つ第２通信局の送信装置から送信された信号を第１通信局の受信装置で受信する通信システムであって、
第１通信局の送信装置は、第２通信局への送信信号を増幅する第１増幅器と、第１増幅器で増幅された信号中に含まれる歪成分が低減するよう歪補償を行う第１歪補償部と、を有し、第１増幅器で増幅された信号を送信する装置であり、
第２通信局の受信装置は、受信した第１通信局の送信装置からの信号中に含まれる歪成分を検出する第１歪検出部を有し、
第２通信局の送信装置は、第１歪検出部で検出された歪成分を示す情報を送信し、
第１通信局の受信装置は、第２通信局の送信装置からの歪成分を示す情報を受信し、
第１歪補償部は、第１通信局の受信装置で受信された歪成分を示す情報に基づいて歪補償を行うことを特徴とする通信システム。
【請求項２】
請求項１に記載の通信システムであって、
第２通信局の送信装置は、第１通信局への送信信号に第１歪検出部で検出された歪成分を示す情報を含ませて送信することを特徴とする通信システム。
【請求項３】
請求項１または２に記載の通信システムであって、
第１歪補償部は、第１通信局の受信装置で受信された歪成分を示す情報に基づいて第１増幅器へ入力される信号に与える前置歪を調整することで歪補償を行うことを特徴とする通信システム。
【請求項４】
請求項１〜３のいずれか１に記載の通信システムであって、
第２通信局の送信装置は、第１通信局への送信信号を増幅する第２増幅器と、第２増幅器で増幅された信号中に含まれる歪成分が低減するよう歪補償を行う第２歪補償部と、を有し、第２増幅器で増幅された信号を送信する装置であり、
第１通信局の受信装置は、受信した第２通信局の送信装置からの信号中に含まれる歪成分を検出する第２歪検出部を有し、
第１通信局の送信装置は、第２歪検出部で検出された歪成分を示す情報を送信し、
第２通信局の受信装置は、第１通信局の送信装置からの歪成分を示す情報を受信し、
第２歪補償部は、第２通信局の受信装置で受信された歪成分を示す情報に基づいて歪補償を行うことを特徴とする通信システム。
【請求項５】
請求項４に記載の通信システムであって、
第１通信局の送信装置は、第２通信局への送信信号に第２歪検出部で検出された歪成分を示す情報を含ませて送信することを特徴とする通信システム。
【請求項６】
請求項４または５に記載の通信システムであって、
第２歪補償部は、第２通信局の受信装置で受信された歪成分を示す情報に基づいて第２増幅器へ入力される信号に与える前置歪を調整することで歪補償を行うことを特徴とする通信システム。
【請求項７】
送信信号を増幅器で増幅してから送信し且つ該増幅器で増幅された信号中に含まれる歪成分が低減するよう歪補償を行う相手局に対して信号の送受信を行う通信局であって、
相手局から送信された信号を受信する受信装置であって、該受信した相手局からの信号中に含まれる歪成分を検出する歪検出部を有する受信装置と、
歪検出部で検出された歪成分を示す情報を相手局へ送信する送信装置と、
を備えることを特徴とする通信局。
【発明の詳細な説明】
【技術分野】
【０００１】
本発明は、双方向通信を行う通信システム及び通信局に関し、特に、増幅器で増幅された送信信号中に含まれる歪成分が低減するよう歪補償を行う通信システム及び通信局に関する。
【背景技術】
【０００２】
増幅器の非線形性により増幅器からの出力信号に生じる歪成分を打ち消すための手段の１つとして、プリディストーション（前置歪）による歪補償が知られている。以下、プリディストーション型歪補償増幅器の構成例について図６を用いて説明する。なお、図６は、通信局の送信装置がプリディストーション型歪補償増幅器を備える例を示しており、通信局の受信装置については図示を省略している。
【０００３】
信号変換部１１６は、入力された送信信号（送信データ）を変調方式に従ったベースバンド信号に変換して出力する。前置歪補償部１１８は、信号変換部１１６からの送信信号（ベースバンド信号）に前置歪を与えて出力する。前置歪補償部１１８から出力されたベースバンド信号のＩ（同相）成分及びＱ（直交）成分は、ローパスフィルタ１２１，１２２を通されてから直交ミキサ１２４に供給される。直交ミキサ１２４は、前置歪補償部１１８からの送信信号（Ｉ成分及びＱ成分）を合成するとともに発振器１２５からの発振信号を用いてベースバンドからＲＦ帯にアップコンバートする。増幅器１３０は、直交ミキサ１２４から供給された送信信号、つまり前置歪が与えられた送信信号を増幅して出力する。ここでの増幅器１３０は、非線形特性を有するパワーアンプ（ＰＡ）により構成される。増幅器１３０で増幅された送信信号は、バンドパスフィルタ１３１を通されてから送信される。
【０００４】
増幅器１３０で増幅された送信信号の一部は、方向性結合器１３３により取り出され、バンドパスフィルタ１３２を通されてから直交ミキサ１３６に供給される。直交ミキサ１３６は、方向性結合器１３３により取り出された信号をＩ／Ｑ分離するとともに発振器１４０からの発振信号を用いてＲＦ帯からベースバンドにダウンコンバートする。直交ミキサ１３６から出力されたベースバンド信号（Ｉ成分及びＱ成分）は、ローパスフィルタ１４２，１４３を通されてから歪検出部１４６に供給される。歪検出部１４６は、直交ミキサ１３６からのベースバンド信号（Ｉ成分及びＱ成分）を基に、増幅器１３０で増幅された送信信号中に含まれる歪成分のレベルを検出する。そして、前置歪補償部１１８は、歪検出部１４６で検出された歪成分のレベルが低減するように、信号変換部１１６からの送信信号に与える前置歪を調整する。このように、プリディストーション型歪補償増幅器では、増幅器１３０からの出力信号に生じる歪成分を打ち消すための前置歪を増幅器１３０への入力信号に予め与えることで歪補償が行われる。
【０００５】
その他の関連技術として、下記特許文献１及び非特許文献１によるプリディストーション型歪補償増幅器が開示されている。
【０００６】
【特許文献１】特開２００５−７２７４７号公報
【非特許文献１】中村宏之、渡邊和二、丸山貴史、中津川征士、「ベースバンドプリディストーション用ＬＵＴデータの自動作成に関する一検討」、信学技報、ＣＳ２００４−２０７、ＲＣＳ２００４−３１４（２００５−０１）、社団法人電子情報通信学会、ｐ．１４３−１４８
【発明の開示】
【発明が解決しようとする課題】
【０００７】
増幅器からの出力信号に生じる歪成分を打ち消すよう歪補償を安定して行うためには、増幅器からの出力信号中に含まれる歪成分を検出する必要がある。図６に示す構成例では、増幅器１３０からの出力信号中に含まれる歪成分を検出するために必要な装置（方向性結合器１３３、バンドパスフィルタ１３２、直交ミキサ１３６、発振器１４０、ローパスフィルタ１４２，１４３、及び歪検出部１４６を含む）の規模が、通常の受信装置並みとなる。そのため、装置の小型化及び低コスト化が困難となる。
【０００８】
本発明は、歪補償を行う場合に装置の小型化及び低コスト化を実現することができる通信システム及び通信局を提供することを目的とする。
【課題を解決するための手段】
【０００９】
本発明に係る通信システム及び通信局は、上述の目的を達成するために以下の手段を採った。
【００１０】
本発明に係る通信システムは、第１通信局の送信装置から送信された信号を第２通信局の受信装置で受信し、且つ第２通信局の送信装置から送信された信号を第１通信局の受信装置で受信する通信システムであって、第１通信局の送信装置は、第２通信局への送信信号を増幅する第１増幅器と、第１増幅器で増幅された信号中に含まれる歪成分が低減するよう歪補償を行う第１歪補償部と、を有し、第１増幅器で増幅された信号を送信する装置であり、第２通信局の受信装置は、受信した第１通信局の送信装置からの信号中に含まれる歪成分を検出する第１歪検出部を有し、第２通信局の送信装置は、第１歪検出部で検出された歪成分を示す情報を送信し、第１通信局の受信装置は、第２通信局の送信装置からの歪成分を示す情報を受信し、第１歪補償部は、第１通信局の受信装置で受信された歪成分を示す情報に基づいて歪補償を行うことを要旨とする。
【００１１】
本発明の一態様では、第２通信局の送信装置は、第１通信局への送信信号に第１歪検出部で検出された歪成分を示す情報を含ませて送信することが好適である。
【００１２】
本発明の一態様では、第１歪補償部は、第１通信局の受信装置で受信された歪成分を示す情報に基づいて第１増幅器へ入力される信号に与える前置歪を調整することで歪補償を行うことが好適である。
【００１３】
本発明の一態様では、第２通信局の送信装置は、第１通信局への送信信号を増幅する第２増幅器と、第２増幅器で増幅された信号中に含まれる歪成分が低減するよう歪補償を行う第２歪補償部と、を有し、第２増幅器で増幅された信号を送信する装置であり、第１通信局の受信装置は、受信した第２通信局の送信装置からの信号中に含まれる歪成分を検出する第２歪検出部を有し、第１通信局の送信装置は、第２歪検出部で検出された歪成分を示す情報を送信し、第２通信局の受信装置は、第１通信局の送信装置からの歪成分を示す情報を受信し、第２歪補償部は、第２通信局の受信装置で受信された歪成分を示す情報に基づいて歪補償を行うことが好適である。この態様では、第１通信局の送信装置は、第２通信局への送信信号に第２歪検出部で検出された歪成分を示す情報を含ませて送信することが好適である。また、この態様では、第２歪補償部は、第２通信局の受信装置で受信された歪成分を示す情報に基づいて第２増幅器へ入力される信号に与える前置歪を調整することで歪補償を行うことが好適である。
【００１４】
本発明に係る通信局は、送信信号を増幅器で増幅してから送信し且つ該増幅器で増幅された信号中に含まれる歪成分が低減するよう歪補償を行う相手局に対して信号の送受信を行う通信局であって、相手局から送信された信号を受信する受信装置であって、該受信した相手局からの信号中に含まれる歪成分を検出する歪検出部を有する受信装置と、歪検出部で検出された歪成分を示す情報を相手局へ送信する送信装置と、を備えることを要旨とする。
【発明の効果】
【００１５】
本発明によれば、第１通信局の第１増幅器で増幅された送信信号中に含まれる歪成分を第２通信局の受信装置を利用して検出することで、第１通信局が歪成分を検出するために受信装置並みの規模の装置を備える必要がなくなる。したがって、歪補償を行う場合に装置の小型化及び低コスト化を実現することができる。
【発明を実施するための最良の形態】
【００１６】
以下、本発明を実施するための形態（以下実施形態という）を図面に従って説明する。
【００１７】
図１は、本発明の実施形態に係る通信システムの概略構成を示す図であり、図１（Ａ）は通信局１０の概略構成を示し、図１（Ｂ）は通信局６０の概略構成を示す。本実施形態に係る通信システムは、通信局１０と通信局６０との間で双方向通信を行うものである。つまり、通信局１０の送信装置１２から送信された信号は、通信局６０の受信装置６４で受信され、且つ通信局６０の送信装置６２から送信された信号は、通信局１０の受信装置１４で受信される。
【００１８】
通信局１０の送信装置１２は、信号変換部１６、前置歪補償部１８、直交ミキサ２４、及び増幅器３０を備える。信号変換部１６は、入力された通信局６０への送信信号（送信データ）を変調方式に従ったベースバンド信号に変換して出力する。例えば変調方式として多値ＱＡＭ（Quadrature Amplitude Modulation）を用いる場合は、送信信号がＱＡＭに従ったベースバンド信号に変換される。信号変換部１６からは、ベースバンド信号のＩ（同相）成分及びＱ（直交）成分が出力される。
【００１９】
前置歪補償部１８は、信号変換部１６からの送信信号（ベースバンド信号）にプリディストーション（前置歪）を与えて出力する。前置歪補償部１８で送信信号に与える前置歪は、後述する方法によって、増幅器３０で増幅された信号中に含まれる歪成分が低減するよう調整される。前置歪補償部１８から出力されたベースバンド信号（Ｉ成分及びＱ成分）は、ローパスフィルタ２１，２２を通されてから直交ミキサ２４に供給される。
【００２０】
直交ミキサ２４は、前置歪補償部１８からの送信信号（Ｉ成分及びＱ成分）を合成するとともに発振器２５からの発振信号を用いてベースバンドからＲＦ帯に周波数変換（アップコンバート）する。ここでは、発振器２５から出力された発振信号が、π／２分配器２６で位相がπ／２異なる２つの発振信号に分配されてミキサ２７，２８に供給される。ミキサ２７は、前置歪補償部１８からローパスフィルタ２１を介して供給された送信信号（ベースバンド信号のＩ成分）に発振信号の一方を混合することで、この送信信号をＲＦ帯にアップコンバートして出力する。ミキサ２８は、前置歪補償部１８からローパスフィルタ２２を介して供給された送信信号（ベースバンド信号のＱ成分）に発振信号の他方を混合することで、この送信信号をＲＦ帯にアップコンバートして出力する。合成器２９は、ミキサ２７，２８でアップコンバートされた送信信号（Ｉ成分及びＱ成分）を合成して出力する。以上のようにして、送信信号（送信データ）の変調が行われる。
【００２１】
増幅器３０は、直交ミキサ２４から供給された送信信号、つまり前置歪が与えられた送信信号を増幅して出力する。ここでの増幅器３０は、非線形特性を有するパワーアンプ（ＰＡ）により構成される。増幅器３０で増幅された送信信号は、バンドパスフィルタ３１を通されてから通信局６０（相手局）へ送信される。
【００２２】
通信局１０の受信装置１４は、増幅器３４、直交ミキサ３６、信号判定部４４、及び歪検出部４６を備える。受信装置１４が受信した通信局６０（送信装置６２）からの信号は、バンドパスフィルタ３２を通されてから増幅器３４に供給される。増幅器３４は、受信した送信装置６２からの信号を増幅して直交ミキサ３６へ出力する。ここでの増幅器３４は、線形性に優れたローノイズアンプ（ＬＮＡ）により構成される。
【００２３】
直交ミキサ３６は、増幅器３４からの信号をＩ／Ｑ分離するとともに発振器４０からの発振信号を用いてＲＦ帯からベースバンドに周波数変換（ダウンコンバート）する。ここでは、増幅器３４からの信号が、同相分配器３７で２つの信号に同相分配されてミキサ３８，３９に供給される。また、発振器４０から出力された発振信号が、π／２分配器４１で位相がπ／２異なる２つの発振信号に分配されてミキサ３８，３９に供給される。ミキサ３８は、同相分配器３７で分配された信号の一方に発振信号の一方を混合することで、増幅器３４からの信号（Ｉ成分）をベースバンドにダウンコンバートして出力する。ミキサ３９は、同相分配器３７で分配された信号の他方に発振信号の他方を混合することで、増幅器３４からの信号（Ｑ成分）をベースバンドにダウンコンバートして出力する。直交ミキサ３６から出力されたベースバンド信号（Ｉ成分及びＱ成分）は、ローパスフィルタ４２，４３を通されてから信号判定部４４に供給される。
【００２４】
信号判定部４４は、直交ミキサ３６からのベースバンド信号のＩ成分及びＱ成分のレベルをそれぞれシンボル周期ごとに判定することで、通信局６０からの送信データを取り出す。以上のようにして、受信装置１４で受信した信号の復調が行われる。
【００２５】
通信局６０（送信装置６２及び受信装置６４）の構成は、通信局１０（送信装置１２及び受信装置１４）と同様の構成である。送信装置６２においては、信号変換部６６は、入力された通信局１０への送信信号（送信データ）を変調方式に従ったベースバンド信号（Ｉ成分及びＱ成分）に変換して出力する。前置歪補償部６８は、信号変換部６６からの送信信号（ベースバンド信号）にプリディストーション（前置歪）を与えて出力する。前置歪補償部６８から出力されたベースバンド信号（Ｉ成分及びＱ成分）は、ローパスフィルタ７１，７２を通されてから直交ミキサ７４に供給される。直交ミキサ７４は、前置歪補償部６８からの送信信号（Ｉ成分及びＱ成分）を合成するとともに発振器７５からの発振信号を用いてベースバンドからＲＦ帯にアップコンバートする。ここでは、発振器７５から出力された発振信号が、π／２分配器７６で位相がπ／２異なる２つの発振信号に分配される。ミキサ７７は、送信信号（Ｉ成分）に対し発振信号の一方を混合してアップコンバートし、ミキサ７８は、送信信号（Ｑ成分）に対し発振信号の他方を混合してアップコンバートする。合成器７９は、ミキサ７７，７８でアップコンバートされた送信信号（Ｉ成分及びＱ成分）を合成して出力する。増幅器８０は、直交ミキサ７４から供給された送信信号、つまり前置歪が与えられた送信信号を増幅して出力する。ここでの増幅器８０は、非線形特性を有するパワーアンプ（ＰＡ）により構成される。増幅器８０で増幅された送信信号は、バンドパスフィルタ８１を通されてから通信局１０（相手局）へ送信される。以上のようにして、送信信号（送信データ）の変調及び送信が行われる。
【００２６】
受信装置６４が受信した通信局１０（送信装置１２）からの信号は、バンドパスフィルタ８２を通されてから増幅器８４に供給される。増幅器８４は、受信した送信装置１２からの信号を増幅して直交ミキサ８６へ出力する。ここでの増幅器８４は、線形性に優れたローノイズアンプ（ＬＮＡ）により構成される。直交ミキサ８６は、増幅器８４からの信号をＩ／Ｑ分離するとともに発振器９０からの発振信号を用いてＲＦ帯からベースバンドにダウンコンバートする。ここでは、増幅器８４からの信号が、同相分配器８７で２つの信号に同相分配される。また、発振器９０から出力された発振信号が、π／２分配器９１で位相がπ／２異なる２つの発振信号に分配される。ミキサ８８は、同相分配器８７で分配された信号の一方に発振信号の一方を混合することでダウンコンバートした信号（Ｉ成分）を出力し、ミキサ８９は、同相分配器８７で分配された信号の他方に発振信号の他方を混合することでダウンコンバートした信号（Ｑ成分）を出力する。直交ミキサ８６から出力されたベースバンド信号（Ｉ成分及びＱ成分）は、ローパスフィルタ９２，９３を通されてから信号判定部９４に供給される。信号判定部９４は、直交ミキサ８６からのベースバンド信号のＩ成分及びＱ成分のレベルをそれぞれシンボル周期ごとに判定することで、通信局１０からの送信データを取り出す。以上のようにして、受信装置６４で受信した信号の復調が行われる。
【００２７】
以上のように構成された通信システムでは、増幅器３０，８０の非線形特性により増幅器３０，８０からの出力信号に生じる歪成分を打ち消すために、増幅器３０，８０への入力信号に前置歪を予め与えることで歪補償を行う。この歪補償によって、歪成分の発生を抑えながら増幅器３０，８０の電力効率を向上させることができる。ただし、増幅器３０，８０の歪み特性が経時変化や温度変化等により変化しても歪補償を安定して行うためには、増幅器３０，８０からの出力信号中に残留する歪成分を検出する必要がある。前述した図６の構成例では、増幅器１３０からの出力信号中に含まれる歪成分を検出するために必要な装置（方向性結合器１３３、バンドパスフィルタ１３２、直交ミキサ１３６、発振器１４０、ローパスフィルタ１４２，１４３、及び歪検出部１４６を含む）の規模が、受信装置１４，６４並みとなる。その場合は、通信局１０（６０）は、歪成分を検出するために受信装置１４（６４）並みの規模の装置を、送信装置１２（６２）及び受信装置１４（６４）の他にさらに備えることになる。その結果、通信局１０（６０）の構成の大型化及びコスト増大を招くことになる。
【００２８】
これに対して本実施形態では、通信局１０（送信装置１２）に設けられた増幅器３０からの送信信号中に残留する歪成分を通信局１０（自局）側ではなく通信局６０（相手局）側で検出する。そして、通信局６０（送信装置６２）に設けられた増幅器８０からの送信信号中に残留する歪成分についても通信局６０（自局）側ではなく通信局１０（相手局）側で検出する。そのために、通信局６０の受信装置６４には、増幅器３０で増幅された送信信号中に含まれる歪成分を検出する歪検出部９６が設けられており、通信局１０の受信装置１４には、増幅器８０で増幅された送信信号中に含まれる歪成分を検出する歪検出部４６が設けられている。歪検出部９６は、直交ミキサ８６から出力されたベースバンド信号（Ｉ成分及びＱ成分）に基づいて、受信装置６４が受信した送信装置１２からの信号中に含まれる歪成分を検出することで、増幅器３０で増幅された送信信号中に含まれる歪成分を検出する。そして、歪検出部４６は、直交ミキサ３６から出力されたベースバンド信号（Ｉ成分及びＱ成分）に基づいて、受信装置１４が受信した送信装置６２からの信号中に含まれる歪成分を検出することで、増幅器８０で増幅された送信信号中に含まれる歪成分を検出する。なお、本実施形態では、増幅器３４，８４を線形性に優れたローノイズアンプ（ＬＮＡ）により構成しているため、増幅器３４，８４で発生する歪成分は、増幅器３０，８０（パワーアンプ）で発生する歪成分と比べて極めて少ない。
【００２９】
増幅器３０，８０のＡＭ−ＡＭ特性及びＡＭ−ＰＭ特性の非線形性により増幅器３０，８０から出力される送信信号中に歪成分が含まれる場合は、図２に示すように、直交ミキサ８６，３６から出力されるベースバンド信号（Ｉ成分及びＱ成分）のレベルに対応するシンボル点Ｐ１が、理想シンボル点Ｐ０からずれたものとなる。そのため、歪検出部９６は、直交ミキサ８６からのベースバンド信号（Ｉ成分及びＱ成分）のレベルに対応するシンボル点Ｐ１と理想シンボル点Ｐ０とのずれ量を検出することで、受信装置６４が受信した送信装置１２からの信号中に含まれる歪成分、つまり増幅器３０からの送信信号中に残留する歪成分を検出することができる。同様に、歪検出部４６は、直交ミキサ３６からのベースバンド信号（Ｉ成分及びＱ成分）のレベルに対応するシンボル点Ｐ１と理想シンボル点Ｐ０とのずれ量を検出することで、増幅器８０からの送信信号中に残留する歪成分を検出することができる。なお、図２は、一例として、変調方式がＱＡＭである場合のシンボル点を示している。
【００３０】
より具体的には、歪検出部９６においては、図３に示すように、直交ミキサ８６からのベースバンド信号のＩ成分及びＱ成分のレベルがシンボル周期ごとに信号検出部９７により検出される。信号検出部９７で検出されたベースバンド信号のＩ成分及びＱ成分のレベルは、信号比較部９９により理想シンボル点におけるＩ成分及びＱ成分のレベルと比較されて、それらの誤差が出力される。ここで、増幅器３０，８０のＡＭ−ＡＭ特性及びＡＭ−ＰＭ特性に対し、振幅の小さいシンボル点については理想シンボル点からのずれ量（歪み）が小さくなり、振幅の大きいシンボル点については理想シンボル点からのずれ量（歪み）が大きくなる。そこで、振幅の小さいシンボル点（例えば図２に示すシンボル点Ｐ２）について理想シンボル点に対するずれ量が最小となるように、信号検出部９７で検出されたベースバンド信号のＩ成分及びＱ成分のレベルが信号補正部９８により補正されることで、ベースバンド信号のレベルに対応するシンボル点（復調シンボル点）Ｐ１と理想シンボル点Ｐ０とのずれ量が抽出される。そして、信号補正部９８による補正後におけるベースバンド信号のＩ成分及びＱ成分のレベルと理想シンボル点におけるＩ成分及びＱ成分のレベルとの誤差が信号比較部９９により検出されることで、増幅器３０からの送信信号中に残留する歪成分が検出される。なお、歪検出部４６においても、歪検出部９６と同様の構成によって、増幅器８０からの送信信号中に残留する歪成分を検出することができる。
【００３１】
そして、本実施形態では、通信局６０の送信装置６２が歪検出部９６で検出された歪成分を示す情報を通信局１０へ送信し、通信局１０の送信装置１２が歪検出部４６で検出された歪成分を示す情報を通信局６０へ送信する。より具体的には、送信装置６２においては、図３に示すように、歪検出部９６で検出された歪成分（信号比較部９９から出力される誤差）を示す情報（データ）が信号変換部６６に供給される。信号変換部６６は、供給された歪成分を示す情報（データ）を変調方式に従ったベースバンド信号（Ｉ成分及びＱ成分）に変換して出力する。これによって、信号変換部６６から出力されるベースバンド信号（Ｉ成分及びＱ成分）は、歪検出部９６で検出された歪成分（信号比較部９９から出力される誤差）を示す情報が挿入されたものとなる。そして、前述したように、歪検出部９６で検出された歪成分を示す情報が挿入されたベースバンド信号（送信信号）を直交ミキサ７４でアップコンバートしてから送信することで、通信局１０への送信信号に歪検出部９６で検出された歪成分を示す情報を含ませて通信局１０へ送信することができる。なお、送信装置１２においても、送信装置６２と同様の方法によって、通信局６０への送信信号に歪検出部４６で検出された歪成分を示す情報を含ませて通信局６０へ送信することができる。
【００３２】
そして、通信局１０の受信装置１４が通信局６０の送信装置６２からの歪成分を示す情報を受信し、通信局６０の受信装置６４が通信局１０の送信装置１２からの歪成分を示す情報を受信する。より具体的には、前述したように、受信装置１４が受信した送信装置６２からの信号が直交ミキサ３６でベースバンドにダウンコンバートされてから信号判定部４４に供給される。信号判定部４４が、直交ミキサ３６からのベースバンド信号のＩ成分及びＱ成分のレベルをそれぞれシンボル周期ごとに判定することで、送信装置６２からの歪成分を示す情報、つまり増幅器３０からの送信信号中に残留する歪成分を示す情報を検出することができる。なお、受信装置６４においても、受信装置１４と同様の方法によって、送信装置１２からの歪成分を示す情報、つまり増幅器８０からの送信信号中に残留する歪成分を示す情報を検出することができる。
【００３３】
そして、本実施形態では、前置歪補償部１８が、受信装置１４で受信された歪成分を示す情報に基づいて、信号変換部１６からの送信信号（増幅器３０への入力信号）に与える前置歪を調整することで歪補償を行う。そして、前置歪補償部６８が、受信装置６４で受信された歪成分を示す情報に基づいて、信号変換部６６からの送信信号（増幅器８０への入力信号）に与える前置歪を調整することで歪補償を行う。より具体的には、図４に示すように、前置歪補償部１８は、ルックアップテーブル（ＬＵＴ）２０としてベースバンド信号の振幅に対する前置歪の特性を記憶している。前置歪補償部１８は、信号判定部４４で検出された歪成分を示す情報に基づいてこの歪成分が低減するようにこの前置歪の特性（ルックアップテーブル２０）を更新する。これによって、増幅器３０からの送信信号中に残留する歪成分が低減するようにルックアップテーブル２０が補正される。そして、前置歪補償部１８は、信号変換部１６からのベースバンド信号の振幅を基にルックアップテーブル２０を参照し、この入力振幅に対応する前置歪を取得する。入力されたベースバンド信号とこの取得した前置歪とが、乗算器１９で乗算（複素乗算）されて前置歪補償部１８から出力される。これによって、増幅器３０からの出力信号に生じる歪成分を打ち消すような前置歪（逆歪み）がベースバンド信号に与えられる。ここで、前置歪が与えられたベースバンド信号のレベルに対応するシンボル点Ｐ３の一例を、歪検出部９６で検出されたベースバンド信号のレベルに対応するシンボル点Ｐ１及び理想シンボル点Ｐ０とともに図５に示す。なお、前置歪補償部６８においても、前置歪補償部１８と同様の構成によって、増幅器８０からの出力信号に生じる歪成分を打ち消すような前置歪（逆歪み）をベースバンド信号に与えることができる。
【００３４】
以上説明した本実施形態では、通信局１０（送信装置１２）の増幅器３０からの送信信号中に残留する歪成分を通信局６０（相手局）の受信装置６４を利用して検出する。そのため、通信局１０が、歪成分を検出するために受信装置１４並みの規模の装置を、送信装置１２及び受信装置１４の他にさらに備える必要がない。したがって、歪補償を行う通信局１０の構成の小型化及び低コスト化を実現することができる。同様に、通信局６０（送信装置６２）の増幅器８０からの送信信号中に残留する歪成分を通信局１０（相手局）の受信装置１４を利用して検出することで、歪補償を行う通信局６０の構成の小型化及び低コスト化を実現することができる。したがって、本実施形態によれば、双方向通信を行う通信システムにおいて歪補償を行う場合に装置の小型化及び低コスト化を実現することができる。
【００３５】
そして、本実施形態では、通信局６０が、受信装置６４（歪検出部９６）で検出した歪成分（増幅器３０からの送信信号中に残留する歪成分）を示す情報を通信局１０へ送信する際には、通信局１０への送信信号にこの歪成分を示す情報を重畳させて通信局１０へ送信する。このように、通信局６０が、送信データを変調する送信装置６２を利用して歪成分を示す情報を送信することで、通信局１０は、受信データを復調する受信装置１４を利用して通信局６０からの歪成分を示す情報を検出することができる。同様に、通信局１０が、送信データを変調する送信装置１２を利用して、通信局６０への送信信号に受信装置１４（歪検出部４６）で検出した歪成分を示す情報を重畳させて通信局６０へ送信することで、通信局６０は、受信データを復調する受信装置６４を利用して通信局１０からの歪成分を示す情報を検出することができる。したがって、本実施形態によれば、通信局１０，６０の構成の更なる小型化及び低コスト化を実現することができる。
【００３６】
本実施形態では、通信局１０の送信装置１２が、歪成分を示す情報を、送信データの伝達経路と独立した伝達経路（例えば電話回線やインターネット回線等の独立回線）を介して通信局６０へ送信することもできる。同様に、通信局６０の送信装置６２が、歪成分を示す情報を、送信データの伝達経路と独立した伝達経路を介して通信局１０へ送信することもできる。
【００３７】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【００３８】
【図１】本発明の実施形態に係る通信システムの概略構成を示す図である。
【図２】直交ミキサから出力されるベースバンド信号のレベルに対応するシンボル点の一例を示す図である。
【図３】歪検出部の構成例を示す図である。
【図４】前置歪補償部の構成例を示す図である。
【図５】前置歪が与えられたベースバンド信号のレベルに対応するシンボル点の一例を示す図である。
【図６】関連技術に係るプリディストーション型歪補償増幅器の概略構成を示す図である。
【符号の説明】
【００３９】
１０，６０  通信局、１２，６２  送信装置、１４，６４  受信装置、１６，６６  信号変換部、１８，６８  前置歪補償部、２４，３６，７４，８６  直交ミキサ、２５，４０，７５，９０  発振器、３０，３４，８０，８４  増幅器、４４，９４  信号判定部、４６，９６  歪検出部。
【図１】
2007158842.tif 000003
【図２】
2007158842.tif 000004
【図３】
2007158842.tif 000005
【図４】
2007158842.tif 000006
【図５】
2007158842.tif 000007
【図６】
2007158842.tif 000008